(57)【要約】【課題】構成が簡単で、組付作業が容易であると共に、据置手摺として使用することができる建築用足場の据置先行手摺を提供する。【解決手段】建築用足場の据置先行手摺１１は、建築用足場を構成する支柱間に組付けられる落下防止用のものである。該据置先行手摺１１は、四角枠状に形成された枠本体２２と、該枠本体内に架設される架橋材としての縦桟２３と、横桟２４とにより構成されている。枠本体２２を形成する両側部の上下位置には前記支柱に設けられた連結枠に連結される上部楔部材２５及び下部楔部材２６を備えると共に、両側部の中間部には支柱の連結枠に係合され枠本体２２を回動可能に支持するフック部材２７が設けられている。該フック部材２７はクランク状に形成され、支柱の連結枠に対して遊嵌状態で係合される。【選択図】図１
2010019071.tif 000002
【特許請求の範囲】
【請求項１】
建築用足場を構成する支柱間に組付けられる落下防止用の据置先行手摺であって、
四角枠状に形成された枠本体と、該枠本体内に架設される架橋材とにより構成され、枠本体を形成する両側部の上下位置には前記支柱に設けられた連結枠に連結される上部楔部材及び下部楔部材を備えると共に、両側部の中間部には支柱の連結枠に係合され枠本体を回動可能に支持するフック部材を設けたことを特徴とする据置先行手摺。
【請求項２】
前記フック部材は、支柱の連結枠に対して遊嵌状態で係合されていることを特徴とする請求項１に記載の据置先行手摺。
【請求項３】
前記フック部材は、クランク状に形成されていることを特徴とする請求項１又は請求項２に記載の据置先行手摺。
【請求項４】
前記楔部材は、楔がそのベース部材とは別体で構成され、ベース部材に対して上下方向に相対移動可能に形成されていることを特徴とする請求項１から請求項３のいずれか１項に記載の据置先行手摺。
【請求項５】
前記楔は、そのベース部材に対して抜け止め保持されていることを特徴とする請求項４に記載の据置先行手摺。
【請求項６】
鉛直方向に延びる枠本体及び架橋材に対して水平方向の一方から係合される鉤部材を備える落下防止用プレートが、前記鉤部材により枠本体及び架橋材の内側に取付けられると共に、落下防止用プレートの外側面には枠本体又は架橋材に対する鉤部材の係合が維持されるロック状態と枠本体又は架橋材に対する鉤部材の係合が解除される非ロック状態とをとり得るロック部材を備えることを特徴とする請求項１から請求項５のいずれか１項に記載の据置先行手摺。
【請求項７】
前記ロック部材は、落下防止用プレートの外側面において回動可能に軸支されたロック部本体と、落下防止用プレートに突設された支持ピンと、ロック部本体に透設され前記支持ピンが挿通されロック部本体の回動を案内する円弧状のガイド孔とにより構成され、ロック状態においてはロック部本体の回動が停止され落下防止用プレートの移動がロック部本体と枠本体又は架橋材との間の係合により規制されるように構成されていることを特徴とする請求項６に記載の据置先行手摺。
【発明の詳細な説明】
【技術分野】
【０００１】
本発明は、建築物を建設する場合にその周囲に組付けられる建築用足場に取付けられ、足場板上で作業をする作業者の落下を防止することができる建築用足場の据置先行手摺に関するものである。
【背景技術】
【０００２】
従来、この種の建築用足場の先行手摺について、本願出願人は既に提案を行っている（例えば、特許文献１を参照）。すなわち、当該先行手摺は、左右一対の縦フレームと、該縦フレームに形成された第１の係合片と、該第１の係合片より下方位置の第２の係合片と、上下一対の横架フレームとを備え、両横架フレームは外筒と内筒とにより構成され、横架フレームが伸縮可能に構成されている。この先行手摺によれば、パネル状の外観でありながら運搬や取付け作業が容易である。
【０００３】
また、枠組足場の先行手摺が知られている（例えば、特許文献２を参照）。係る先行手摺は、一対の手摺柱と、該手摺柱に一端が軸支され傾倒可能なリンク材と、該リンク材の遊端間に両端部を軸支した横桟とからなり、隣接する建枠間に手摺柱を固定し、横桟を保持する一方、手摺柱間の距離調整がなされて手摺柱を上下段の建枠に移設可能に構成されている。この先行手摺では、構造がシンプルで、取扱いが容易である。
【先行技術文献】
【特許文献】
【０００４】
【特許文献１】特開２００５−１１３４３４号公報（第２頁及び第３頁）
【特許文献２】特開２００５−１８８１５９号公報（第２頁及び図１）
【発明の概要】
【発明が解決しようとする課題】
【０００５】
前記従来の特許文献１に記載されている先行手摺では、縦フレームの一端を支柱に沿って押し上げ、第１の係合フックを支柱の第１の連結枠に係合させた後、第２の係合フックを支柱の第２の連結枠に係合させる。次いで、縦フレームの他端も同様にして第１の係合フックを第１の連結枠に係合させ、第２の係合フックを第２の連結枠に係合させることによって先行手摺の仮留めが行われる。しかしながら、特に縦フレームの第１の係合フックは高い位置にあるため、その係合フックを支柱の連結枠に係合する操作が容易ではない。さらに、この先行手摺は仮留めであるため、作業者が下層階から上層階へ上がった後に、係る先行手摺を取り外して据置手摺を取付けなければならず、そのような作業が面倒で作業時間を要するものであった。
【０００６】
また、特許文献２に記載されている先行手摺では、門型形状の先行手摺を持ちながら、その係止片を建枠の横架材に係止させた後、抱持具を建枠の脚柱に抱持させ、手摺柱が建枠に固定される。そして、作業者は上層階に上がり、そこで建枠、筋交い及び足場板を組み上げた後、前記係止片の係止及び抱持具の抱持を解除して手摺柱を上方へ持ち上げる必要がある。このため、建枠に対する係止片の係止及び脚柱に対する抱持具の抱持が面倒である上に、上層階へ上がった後に係止片の係止及び抱持具の抱持を解除して上方へ持ち上げなければならず、それらの作業が煩雑で時間を要するものであった。しかも、据置手摺は別途取付けなければならず、組付作業性が悪いという問題があった。
【０００７】
本発明は、このような従来技術に存在する問題点に着目してなされたものであり、その目的とするところは、構成が簡単で、組付作業が容易であると共に、据置手摺として使用することができる建築用足場の据置先行手摺を提供することにある。
【課題を解決するための手段】
【０００８】
上記の目的を達成するために、請求項１に係る発明の建築用足場の据置先行手摺は、建築用足場を構成する支柱間に組付けられる落下防止用のものである。そして、四角枠状に形成された枠本体と、該枠本体内に架設される架橋材とにより構成され、枠本体を形成する両側部の上下位置には前記支柱に設けられた連結枠に連結される上部楔部材及び下部楔部材を備えると共に、両側部の中間部には支柱の連結枠に係合され枠本体を回動可能に支持するフック部材を設けたことを特徴とする。
【０００９】
請求項２に係る建築用足場の据置先行手摺は、請求項１に係る発明において、前記フック部材は、支柱の連結枠に対して遊嵌状態で係合されていることを特徴とする。
請求項３に係る建築用足場の据置先行手摺は、請求項１又は請求項２に記載の発明において、前記フック部材はクランク状に形成されていることを特徴とする。
【００１０】
請求項４に係る建築用足場の据置先行手摺は、請求項１から請求項３のいずれか１項に係る発明において、前記楔部材は、楔がそのベース部材とは別体で構成され、ベース部材に対して上下方向に相対移動可能に形成されていることを特徴とする。
【００１１】
請求項５に係る建築用足場の据置先行手摺は、請求項４に係る発明において、前記楔は、そのベース部材に対して抜け止め保持されていることを特徴とする。
請求項６に係る建築用足場の据置先行手摺は、請求項１から請求項５のいずれか１項に係る発明において、鉛直方向に延びる枠本体及び架橋材に対して水平方向の一方から係合される鉤部材を備える落下防止用プレートが、前記鉤部材により枠本体及び架橋材の内側に取付けられると共に、落下防止用プレートの外側面には枠本体又は架橋材に対する鉤部材の係合が維持されるロック状態と枠本体又は架橋材に対する鉤部材の係合が解除される非ロック状態とをとり得るロック部材を備えることを特徴とする。
【００１２】
請求項７に係る建築用足場の据置先行手摺は、請求項６に係る発明において、前記ロック部材は、落下防止用プレートの外側面において回動可能に軸支されたロック部本体と、落下防止用プレートに突設された支持ピンと、ロック部本体に透設され前記支持ピンが挿通されロック部本体の回動を案内する円弧状のガイド孔とにより構成され、ロック状態においてはロック部本体の回動が停止され落下防止用プレートの移動がロック部本体と枠本体又は架橋材との間の係合により規制されるように構成されていることを特徴とする。
【発明の効果】
【００１３】
本発明によれば、次のような効果を発揮することができる。
請求項１に係る発明の建築用足場の据置先行手摺は、四角枠状に形成された枠本体と、該枠本体内に架設される架橋材とにより構成されている。そして、枠本体を形成する両側部の上下位置には支柱に設けられた連結枠に連結される上部楔部材及び下部楔部材を備えると共に、両側部の中間部には支柱の連結枠に係合され枠本体を回動可能に支持するフック部材が設けられている。このため、枠本体に両楔部材及びフック部材を設けるだけでよく、さらにフック部材を支柱の連結枠に係合させた後、両楔部材を支柱の連結枠に緊結させることにより、据置先行手摺を支柱に保持することができる。従って、据置先行手摺は構成が簡単で、組付作業が容易であると共に、据置手摺として使用することができる。
【００１４】
請求項２に係る建築用足場の据置先行手摺では、フック部材が支柱の連結枠に対して遊嵌状態で係合されている。このため、請求項１に係る発明の効果に加えて、フック部材を支柱の連結枠に嵌め込みやすく、枠本体を容易に回動させることができる。
【００１５】
請求項３に係る建築用足場の据置先行手摺では、フック部材はクランク状に形成されている。従って、請求項１又は請求項２に係る発明の効果に加えて、フック部材の構成が簡単で、枠本体の回動を容易にすることができる。
【００１６】
請求項４に係る建築用足場の据置先行手摺では、楔部材は楔がそのベース部材とは別体で構成され、ベース部材に対して上下方向に相対移動可能に形成されている。このため、請求項１から請求項３のいずれかに係る発明の効果に加えて、楔を持ち上げてから支柱の連結枠に差し込むことにより、側部枠を支柱に容易に緊結することができる。
【００１７】
請求項５に係る建築用足場の据置先行手摺では、前記楔がそのベース部材に対して抜け止め保持されている。従って、請求項４に係る発明の効果に加え、楔がベース部材から離れて落下するおそれがなく、据置先行手摺の組付作業を円滑に進めることができる。
【００１８】
請求項６に係る建築用足場の据置先行手摺では、鉛直方向に延びる枠本体及び架橋材に対して水平方向の一方から係合される鉤部材を備える落下防止用プレートが、鉤部材により枠本体及び架橋材の内側に取付けられる。さらに、落下防止用プレートの外側面にはロック部材が設けられ、枠本体又は架橋材に対する鉤部材の係合が維持されるロック状態と枠本体又は架橋材に対する鉤部材の係合が解除される非ロック状態とをとり得るようになっている。このため、請求項１から請求項５のいずれかに係る発明の効果に加えて、落下防止用プレートを枠本体及び架橋材の内側に容易に取付けることができると共に、落下防止用プレートにより足場板上の資材などが落下することを防止することができる。
【００１９】
請求項７に係る建築用足場の据置先行手摺では、ロック部材は、落下防止用プレートの外側面において回動可能に軸支されたロック部本体と、落下防止用プレートに突設された支持ピンと、ロック部本体に透設され前記支持ピンが挿通されロック部本体の回動を案内する円弧状のガイド孔とにより構成されている。そして、ロック状態においてはロック部本体の回動が停止され、落下防止用プレートの移動がロック部本体と枠本体又は架橋材との間の係合により規制されるようになっている。このため、請求項６に係る発明の効果に加えて、ロック部本体の回動操作により落下防止用プレートのロック状態を容易に形成することができる。
【図面の簡単な説明】
【００２０】
【図１】第１実施形態における建築用足場の据置先行手摺を示す斜視図。
【図２】据置先行手摺のフック部材を支柱の連結枠に係合した状態を示す平断面図。
【図３】上部楔部材を示す図であって、（ａ）は上部楔部材の斜視図、（ｂ）は上部楔部材の平面図、（ｃ）は上部楔部材の正面図及び（ｄ）は上部楔部材の右側面図。
【図４】下部楔部材を示す図であって、（ａ）は下部楔部材の斜視図、（ｂ）は下部楔部材の平面図、（ｃ）は下部楔部材の正面図及び（ｄ）は下部楔部材の右側面図。
【図５】妻側の据置先行手摺を示す正面図。
【図６】妻側の据置先行手摺に取付けられる下部楔部材を示す図であって、（ａ）は下部楔部材の斜視図、（ｂ）は下部楔部材の平面図、（ｃ）は下部楔部材の正面図及び（ｄ）は下部楔部材の右側面図。
【図７】（ａ）は支柱の連結枠に係合されたフック部材を中心にして枠本体を回動させた状態を示す正面図、（ｂ）は下部楔部材を支柱の連結枠に差し込んだ状態を示す正面図及び（ｃ）は上部楔部材を支柱の連結枠に差し込んだ状態を示す正面図。
【図８】（ａ）、（ｂ）及び（ｃ）は、支柱、左右連結フレーム及び前後連結フレームを組立て及び据置先行手摺を組付ける手順を順に示す斜視図。
【図９】（ａ）は支柱間に据置先行手摺を組付ける状態を示す斜視図及び（ｂ）は支柱間に据置先行手摺が組付けられた状態で前後連結フレーム間に足場板を取付けた状態を示す斜視図。
【図１０】第２実施形態における据置先行手摺に落下防止用プレートを取付けた状態を示す斜視図。
【図１１】（ａ）は鉤部材を示す平面図、（ｂ）は鉤部材を示す正面図及び（ｃ）は鉤部材を示す側面図。
【図１２】ロック部材のロック部本体を示す斜視図。
【図１３】ロック部材の作用を示す図であって、（ａ）は非ロック状態を示す部分正面図及び（ｂ）はロック状態を示す部分正面図。
【発明を実施するための形態】
【００２１】
以下、本発明の実施形態を図面に基づいて詳細に説明する。
（第１実施形態）
図９（ｂ）に示すように、建築用足場１０の据置先行手摺１１は、建築用足場１０を構成し鉛直方向に延びる各支柱１２間に組付けられるものである。ここで、据置先行手摺１１とは、下層階に位置する作業者がその上層階に手摺（先行手摺）をセットすると共に、足場板（踏み板）１７を敷設した後、作業者が上層階へ移ってその上層階の足場板１７上で足場を組む作業を行い、同様にして上層へ向かって足場を構築するに当って前記手摺をそのまま据置手摺とするものを意味する。従って、この据置先行手摺１１を用いることにより、仮留めの先行手摺と据置の手摺とを兼用することができる。
【００２２】
図９（ｂ）及び図２に示すように、建築用足場１０を構成する支柱１２は鋼材により円筒状に形成され、下端部に上下調節のためのジャッキ１３を備えると共に、上下に一定間隔をおいて連結枠１４が突設されている。該連結枠１４は断面コの字状をなし、支柱１２の外周面に９０度間隔をおいて４箇所ずつ設けられている。支柱１２は左右及び前後に一定の間隔をおいて配置され、各支柱１２間は左右連結フレーム１５及び前後連結フレーム１６によって連結されている。左右に隣接する前後連結フレーム１６間には、足場板１７がその両端部に突設された鉤部１８が前後連結フレーム１６に係合することにより敷設されている。
【００２３】
図１に示すように、据置先行手摺１１は、上部枠体１９、下部枠体２０及び両側部の側部枠体２１によって横長四角枠状に形成された枠本体２２と、該枠本体２２内に架設される架橋材としての２本の縦桟２３と、１本の横桟２４とにより構成されている。枠本体２２の側部上下位置、すなわち側部枠体２１の上下位置の外面には前記支柱１２に設けられた連結枠１４に連結される上部楔部材２５及び下部楔部材２６が設けられると共に、両側部枠体２１の中央部外面には支柱１２の連結枠１４に係合され、枠本体２２すなわち据置先行手摺１１を回動可能に支持するフック部材２７が突設されている。
【００２４】
係るフック部材２７は丸棒材によってクランク状に形成され、その基端部が側部枠体２１の外面に溶接接合されている。図２に示すように、このフック部材２７の先端部２７ａは支柱１２の連結枠１４に嵌め込まれ、連結枠１４に対して遊嵌状態で係合されている。そして、図７（ａ）に示すように、両側部枠体２１のフック部材２７の先端部２７ａが支柱１２の連結枠１４に係合された状態で、据置先行手摺１１が回動できるように構成されている。この場合、連結枠１４に対するフック部材２７の係合操作を容易にするために、枠本体２２の上部枠体１９が左右連結フレーム１５の位置よりも前方に位置すべく傾斜するように操作される。
【００２５】
図３（ａ）〜（ｄ）に示すように、前記上部楔部材２５は、楔２８がそのベース部材２９とは別体で構成され、ベース部材２９に対して上下方向に相対移動可能に形成されている。係る楔２８は、そのベース部材２９に対して抜け止め保持されている。ベース部材２９について説明すると、互いに対向する一対の板材３０がプッシュプレート３１、当て板３２等により一定間隔をおいて結合され、その後端側には前記側部枠体２１を挟んで溶接される挟持凹部３３が設けられると共に、前端側には支柱１２の連結枠１４が係合される係合凹部３４が設けられている。また、ベース部材２９には、楔２８が挿通される挿通孔３５が形成されると共に、楔２８を抜け止めするストッパ３６が架設されている。なお、このストッパ３６は、楔２８がベース部材２９の挿通孔３５に挿通された後にベース部材２９に溶接固定される。
【００２６】
楔２８は逆Ｕ字状に形成され、ベース部材２９の挿通孔３５内で上下動可能に構成され、その基端側には抜け止め突起３７が設けられ、ベース部材２９のストッパ３６に係合して抜け止めされるようになっている。楔２８の先端部は先端側（下端側）ほど幅狭になるテーパ状に形成されている。そして、図７（ｃ）に示すように、楔２８を持ち上げた状態（図の二点鎖線の位置）でベース部材２９の係合凹部３４に支柱１２の連結枠１４が係合され、その状態で楔２８が降ろされると楔２８が連結枠１４内に差し込まれて側部枠体２１が支柱１２に連結固定される（図の実線位置）。
【００２７】
下部楔部材２６に関して前記上部楔部材２５と異なる点について主に説明すると、図４（ａ）〜（ｄ）に示すように、ベース部材２９の後端側には側部枠体２１の下部を挟んで溶接される挟持凹部３３が設けられている。楔２８は下端側ほど幅狭になるテーパ状をなす四角柱状に形成され、その両側面には抜け止め用の凹溝３８が形成されている。一方、ベース部材２９の前端部の両側には一対のリベット３９が内方へ互いに対向するように突出され、前記楔２８の凹溝３８に遊嵌されて、楔２８の動きを案内すると同時に、楔２８を抜け止め保持している。そして、図７（ｂ）に示すように、楔２８を二点鎖線に示す位置から回動させて直立させ、その先端部を支柱１２の連結枠１４に落とし込むことにより、側部枠体２１の下部が支柱１２に固定されるようになっている。
【００２８】
図５に示すように、建築用足場１０の端部位置すなわち妻側に設けられる据置先行手摺１１ａは、基本的な構造は前述した据置先行手摺１１と同じであるが、縦桟２３が１本で構成され、枠本体２２は縦長四角形状に形成されている。また、下部枠体２０は足場板１７の鉤部１８が係止可能となるように前述した前後連結フレーム１６と同様に太く形成されている。また、妻側の下部楔部材２６は前記下部楔部材２６とは若干相違する。すなわち、図６（ａ）〜（ｄ）に示すように、ベース部材２９の後端部には、下部枠体２０の端部に係合する切欠き４０が設けられると共に、下部枠体２０を挟んで溶接される挟持凹部３３が設けられている。
【００２９】
次に、本実施形態の据置先行手摺１１、１１ａの組付方法及び建築用足場１０の構築方法について説明する。
さて、図８（ａ）に示すように、まず建築用足場１０の支柱１２を立設し、支柱１２間を左右連結フレーム１５及び前後連結フレーム１６にて連結し、各支柱１２を左右及び前後に一定間隔となるように設定して最下層階（第１層階）を形成する。続いて、図８（ｂ）に示すように、後部位置の支柱１２間の上層階（第２層階）となる位置に左右連結フレーム１５を連結する。次いで、図８（ｃ）に示すように、前部の支柱１２間の前記後部位置の左右連結フレーム１５を連結した連結枠１４より１つ上の位置の連結枠１４に枠本体２２の両側部の中央に位置する一対のフック部材２７の先端部２７ａをそれぞれ嵌め込む。このとき、図７（ａ）に示すように、据置先行手摺１１の上部枠体１９が左右連結フレーム１５より前方へ傾くように操作し、据置先行手摺１１を支柱１２間に仮支持する。そして、左右一対のフック部材２７を中心にして上部枠体１９が後方へ移動するように据置先行手摺１１を垂立位置まで回動させる。
【００３０】
その状態で、図７（ｂ）に示すように、一方の下部楔部材２６の楔２８を持ち上げた状態から直立させてその下部を支柱１２の連結枠１４内に差し込み、下部楔部材２６を支柱１２の連結枠１４に緊結する。他方の下部楔部材２６についても同様に操作することにより、据置先行手摺１１の下部を支柱１２に緊結することができる。第２層階において、以上の操作を各据置先行手摺１１について順に行う。図９（ａ）に示すように、妻側の据置先行手摺１１ａについて、その両側のフック部材２７を妻側の２本の支柱１２の連結枠１４に上部枠体１９が前後連結フレーム１６より外側に位置するようにして係合する。そして、両フック部材２７を中心にして上部枠体１９が垂立するように回動させ、その状態で両側下部の下部楔部材２６を前記と同様にして支柱１２の連結枠１４に緊結する。
【００３１】
次に、図９（ｂ）に示すように、第２層階となる位置で足場板１７の両端部に設けられている各一対の鉤部１８を前後連結フレーム１６に係合することにより、第２層階に足場板１７を順に敷設する。その後、作業者は第２層階の足場板１７の上に乗り、図７（ｃ）に示すように、据置先行手摺１１の両側の上部楔部材２５の楔２８を持ち上げた状態（図の二点鎖線）から降ろして支柱１２の連結枠１４に差し込み、上部楔部材２５を支柱１２の連結枠１４に順に緊結する（図の実線）。さらに、妻側の据置先行手摺１１ａに関して、両側の上部楔部材２５を同様にして妻側の支柱１２の連結枠１４に緊結する。第３層階以上の上層階についても、第２層階と同様にして据置先行手摺１１、１１ａを組付ける。このようにして、据置先行手摺１１、１１ａが組付けられた多層階の建築用足場１０が構築される。なお、このように構築された建築用足場１０を解体する場合には、上記の据置先行手摺１１、１１ａの組付作業及び建築用足場１０の構築作業の手順とは逆の手順により行うことができる。
【００３２】
以上詳述した実施形態により発揮される効果について、以下にまとめて記載する。
・  本実施形態における据置先行手摺１１は、横長四角枠状の枠本体２２と、該枠本体２２内に架設される架橋材としての縦桟２３と、横桟２４とにより構成されている。そして、両側部枠体２１の上下位置には支柱１２に設けられた連結枠１４に連結される上部楔部材２５及び下部楔部材２６を備えると共に、両側部枠体２１の中間部には支柱１２の連結枠１４に係合され枠本体２２を回動可能に支持するフック部材２７が設けられている。さらに、妻側の据置先行手摺１１ａも上記と同様に構成されている。
【００３３】
このため、枠本体２２の両側部に上部楔部材２５及び下部楔部材２６並びにフック部材２７を設けるだけでよく、さらにフック部材２７の先端部２７ａを支柱１２の連結枠１４に係合させた後、下部楔部材２６及び上部楔部材２５を支柱１２の連結枠１４に緊結させることにより、据置先行手摺１１、１１ａを支柱１２に組付けることができる。このため、従来のように先行手摺を仮留めした後に据置手摺を取付ける必要がなく、先行手摺をそのまま据置手摺とすることができる。従って、据置先行手摺１１、１１ａは構成が簡単で、組付作業が容易であると共に、据置手摺として使用することができる。さらに、据置先行手摺１１、１１ａの組付作業を速やかに行うことができると共に、据置先行手摺１１、１１ａはその両側の上下位置で楔部材により緊結されているためがたつきがなく、十分な強度を確保することができる。
【００３４】
・  前記フック部材２７は側部枠体２１の上下中央部に設けられているため、据置先行手摺１１、１１ａの組付作業時の視点及び作業点が低くなり、組付作業性を格段に向上させることができる。
【００３５】
・  前記フック部材２７の先端部２７ａが支柱１２の連結枠１４に対して遊嵌状態で係合されている。このため、フック部材２７の先端部２７ａを支柱１２の連結枠１４に嵌め込みやすく、枠本体２２を容易に回動させることができる。
【００３６】
・  前記フック部材２７はクランク状に形成されている。従って、フック部材２７の構成が簡単で、枠本体２２の回動を容易に行うことができる。
・  前記下部楔部材２６及び上部楔部材２５は楔２８がそのベース部材２９とは別体で構成され、ベース部材２９に対して上下方向に相対移動可能に形成されている。このため、楔２８を持ち上げてから支柱１２の連結枠１４に差し込むことにより、側部枠体２１を支柱１２に容易に緊結することができる。
【００３７】
・  前記楔２８はその抜け止め突起３７がベース部材２９のストッパ３６に係合して抜け止め保持されている。従って、楔２８がベース部材２９から離れて落下するおそれがなく、据置先行手摺１１、１１ａの組付作業を円滑に進めることができる。
（第２実施形態）
この第２実施形態においては、主に第１実施形態と異なる部分について説明し、同一部分については同一の部材番号を付してその説明を省略する。
【００３８】
図１０に示すように、落下防止用プレート４１は金属板により細長四角板状に形成され、その外側面には図１１（ａ）〜（ｃ）に示される鉤部材４３が枠本体２２を構成する側部枠体２１と架橋材を構成する縦桟２３との間隔又は縦桟２３間の間隔をおいて上下２段に設けられている。すなわち、鉤部材４３は金属板により断面クランク状に形成され、落下防止用プレート４１の外側面に固定されている断面Ｌ字状のアングル材４４に溶接されている。そして、落下防止用プレート４１を図１０の二点鎖線に示す位置から実線に示す位置へとスライドさせ、鉛直方向に延びる側部枠体２１及び縦桟２３に対して水平方向の一方から落下防止用プレート４１の鉤部材４３を係合させることにより、落下防止用プレート４１が側部枠体２１及び縦桟２３の内側下部に取付けられるようになっている。
【００３９】
前記落下防止用プレート４１の外側面には側部枠体２１又は縦桟２３に対する鉤部材４３の係合が維持されるロック状態と、側部枠体２１又は縦桟２３に対する鉤部材４３の係合が解除される非ロック状態とをとり得るロック部材４５が設けられている。図１２及び図１３（ａ）、（ｂ）に示すように、ロック部材４５は、落下防止用プレート４１の外側面において回動可能に軸支されたロック部本体４６と、落下防止用プレート４１に突設された支持ピン４７と、ロック部本体４６に透設され前記支持ピン４７が挿通されロック部本体４６の回動を案内する円弧状のガイド孔４８とにより構成されている。
【００４０】
ロック部本体４６のガイド孔４８の一端部にはストッパ孔４９が連通されると共に、ロック部本体４６の回動軸５０が挿通される軸孔５１は長孔状に形成されている。これらのストッパ孔４９及び軸孔５１は、図１３（ｂ）に示すロック状態で同一の鉛直方向に延びるように構成されている。また、ガイド孔４８の他端部には斜め上方に延びる回動規制孔５２が連通形成されている。そして、図１３（ｂ）に示すロック状態ではロック部本体４６が下方へスライドして回動軸５０が軸孔５１内を上動すると同時に支持ピン４７がガイド孔４８からストッパ孔４９へと入り込み、ロック部本体４６の回動がロックされるようになっている。図１３（ａ）に示す非ロック状態ではロック部本体４６が若干下方へスライドして支持ピン４７がガイド孔４８から回動規制孔５２へと入り込み、ロック部本体４６の回動が規制されるようになっている。
【００４１】
ロック部本体４６の回動規制孔５２の先には係止片５３が折曲げ形成され、ロック状態においてはロック部本体４６の回動が停止され、落下防止用プレート４１の移動がロック部本体４６の係止片５３と縦桟２３との間の係合により規制されるように構成されている。また、ロック部本体４６のストッパ孔４９側には把持片５４が折曲げ形成され、該把持片５４を把持してロック部本体４６の回動操作を行うことができるようになっている。
【００４２】
さて、落下防止用プレート４１を枠本体２２の内側に取付ける場合には、図１０に示すように、落下防止用プレート４１を二点鎖線に示す位置から実線に示す位置までスライドさせると、落下防止用プレート４１外側面の上下各一対の鉤部材４３が側部枠体２１及び縦桟２３に同時に係合される。
【００４３】
その状態で、図１３（ａ）に示すように、ロック部材４５のロック部本体４６を回動軸５０を中心にして時計方向に回動させると、支持ピン４７はガイド孔４８に沿って案内される。図１３（ｂ）に示すように、ロック部本体４６を回動させて支持ピン４７がガイド孔４８の一端部まで到ったときロック部本体４６を上から押さえて下動させると、回動軸５０が軸孔５１内を上動すると同時に支持ピン４７がストッパ孔４９に入り込む。そのため、ロック部本体４６の回動は規制され、その係止片５３が縦桟２３と対向する鉛直位置に配置される。従って、落下防止用プレート４１はその鉤部材４３が側部枠体２１又は縦桟２３に対して非係合方向（図１３（ｂ）の右方向）へスライドしようとすると、ロック部材４５の係止片５３が縦桟２３に当接することから、縦桟２３に対する鉤部材４３の係合が外れることを防止することができる。
【００４４】
その後、落下防止用プレート４１を枠本体２２の内側から取り外す場合には、ロック部本体４６を図１３（ｂ）に示す状態から上方へ持ち上げ、反時計方向へ回動させて図１３（ａ）に示す状態へ戻す。この状態で、ロック部本体４６の係止片５３は縦桟２３に対向する位置から退避されているため、落下防止用プレート４１を図１０の二点鎖線側へスライドさせ、側部枠体２１及び縦桟２３に対する鉤部材４３の係合を解除させることができる。このようにして、落下防止用プレート４１を枠本体２２から取り外すことができる。なお、図１３（ａ）に示す状態で、ロック部本体４６を押えて下動させると、回動軸５０が軸孔５１内を上動すると同時に、支持ピン４７が回動規制孔５２へ入り込んでロック部本体４６の回動が規制される。
【００４５】
以上のように、この第２実施形態によれば、ロック部本体４６の回動操作により落下防止用プレート４１のロック状態を容易に形成することができる。そして、落下防止用プレート４１を枠本体２２及び縦桟２３の内側下部に容易に取付けることができると共に、落下防止用プレート４１により足場板１７上の資材などが落下することを防止することができる。
【００４６】
なお、前記実施形態を次のように変更して具体化することも可能である。
〇  前記据置先行手摺１１、１１ａの枠本体２２の高さや幅を建築用足場１０の種類に応じて適宜変更することができる。また、縦桟２３又は横桟２４の本数を、作業性を考慮して適宜変更することができる。
【００４７】
〇  前記フック部材２７を逆Ｕ字状に形成し、その基端部を側部枠体２１の外面に溶接固定することもできる。また、フック部材２７を逆横Ｌ字状に形成し、その基端部を側部枠体２１及び横桟２４に溶接固定することもできる。或いは、フック部材２７の基端部を円弧状に形成し、支柱１２の外周面に溶接固定するように構成することも可能である。
【００４８】
〇  前記フック部材２７を、円筒部材で構成したり、先端側ほど細くなるテーパ状に構成したりすることも可能である。
〇  フック部材２７を、側部枠体２１に形成した貫通孔に挿通支持して回動可能に構成することもできる。この場合、フック部材２７の先端部２７ａを支柱１２の連結枠１４に嵌め込んで動き難い場合でも枠本体２２を容易に回動させることができる。
【００４９】
〇  左右一対のフック部材２７の位置を、それらを結ぶ線が据置先行手摺１１、１１ａの重心を通るように設定することができる。その場合、一対のフック部材２７を中心とする枠本体２２の回動操作を容易に行うことができる。
【００５０】
○  前記架橋材を、斜めに対向する隅部間に架設される斜め桟（例えばＸ字状又は筋交い状）で構成することもできる。その場合、縦桟２３及び横桟２４の少なくとも一方を残すように構成することができる。或いは、架橋材の中間部を円弧状、Ｖ字状、Ｓ字状、ジグザグ状等に構成することも可能である。
【００５１】
○  第２実施形態において、鉤部材４３の数を落下防止用プレート４１の幅に応じ、側部枠体２１又は縦桟２３に相当する位置で上下に１個又は３個以上に設定することができる。
【００５２】
○  ロック部材４５をその係止片５３が側部枠体２１に対向してロックされるように、落下防止用プレート４１に取付けることもできる。
次に、前記実施形態から把握できる技術的思想について以下に記載する。
【００５３】
・  前記フック部材は、据置先行手摺と同一面上で枠本体の両側部から突出するように構成されていることを特徴とする請求項１から請求項５のいずれか１項に記載の建築用足場の据置先行手摺。このように構成した場合、請求項１から請求項５のいずれかに係る発明の効果に加えて、枠本体を安定した状態で回動可能に支持することができる。
【００５４】
・  前記フック部材は、断面円形状に形成されていることを特徴とする請求項１から請求項５のいずれか１項に記載の建築用足場の据置先行手摺。このように構成した場合、請求項１から請求項５のいずれかに係る発明の効果に加えて、フック部材を支柱の連結枠に嵌め込む操作を容易かつ速やかに行うことができると共に、枠本体の回動操作を円滑に行うことができる。
【００５５】
・  前記上部楔部材及び下部楔部材は、枠本体を構成する側部枠体に設けられていることを特徴とする請求項１から請求項５のいずれか一項に記載の建築用足場の据置先行手摺。このように構成した場合、請求項１から請求項５のいずれかに係る発明の効果に加えて、上部楔部材及び下部楔部材が同じ側部枠体の上下に取付けられることから、構成を簡単にできると共に、両楔部材の取付けを容易に行うことができる。
【００５６】
・  前記据置先行手摺は妻側に設けられるものであって、その枠本体を構成する下部枠体は足場板の鉤部が係合されるように太く形成されると共に、前記下部楔部材は下部枠体の端部に取付けられることを特徴とする請求項１から請求項５のいずれか１項に記載の建築用足場の据置先行手摺。このように構成した場合、請求項１から請求項５のいずれかに係る発明の効果に加えて、妻側の据置先行手摺の下部枠体に足場板の鉤部を容易に係合させることができると共に、足場板の敷設を円滑に行うことができる。
【００５７】
・  前記ロック部本体のガイド孔の端部にはストッパ孔が連通されると共に、ロック部本体の回動軸が挿通される軸孔はロック状態でストッパ孔と同じ方向に延びる長孔状に形成され、ロック状態ではロック部本体が下方へスライドして回動軸が軸孔内を上動すると同時に支持ピンがガイド孔からストッパ孔へと上動し、ロック部本体がロックされるように構成されていることを特徴とする請求項７に記載の据置先行手摺。このように構成した場合、請求項６に係る発明の効果に加えて、ロック部本体を下動させるだけで簡単にロック部材をロックさせることができる。
【符号の説明】
【００５８】
１０…建築用足場、１１…据置先行手摺、１１ａ…妻側の据置先行手摺、１２…支柱、１４…連結枠、２１…枠本体としての側部枠体、２２…枠本体、２３…架橋材としての縦桟、２４…架橋材としての横桟、２５…上部楔部材、２６…下部楔部材、２７…フック部材、２８…楔、２９…ベース部材、４１…落下防止用プレート、４３…鉤部材、４５…ロック部材、４６…ロック部本体、４７…支持ピン、４８…ガイド孔。
【図１】
2010019071.tif 000003
【図２】
2010019071.tif 000004
【図３】
2010019071.tif 000005
【図４】
2010019071.tif 000006
【図５】
2010019071.tif 000007
【図６】
2010019071.tif 000008
【図７】
2010019071.tif 000009
【図８】
2010019071.tif 000010
【図９】
2010019071.tif 000011
【図１０】
2010019071.tif 000012
【図１１】
2010019071.tif 000013
【図１２】
2010019071.tif 000014
【図１３】
2010019071.tif 000015